(57)【要約】      （修正有）【課題】携帯性に優れ、繊維部分の汚れを防ぐことが出来る携帯用ワイパーを提供する。【解決手段】０．００１〜０．５デニールからなる超極細繊維布１０と、超極細繊維布１０の一辺を接着固定すると共に折り畳むことによって超極細繊維布１０を保護するカバー２０とから構成する。カバー２０および超極細繊維布１０は、折り畳んだときに名刺大あるいはカード大の大きさになるように形成する。また、カバー２０は、長さ方向の一端２２が折り返されて折り返し部２３を形成し、折り返し部２３に超極細繊維布１０の一辺を挿通して接着固定する。また、カバー２０は、折り畳んだときに長さ方向の他端２５が折り返し部２３の隙間に収まるように折り曲げる。【選択図】図１
0003175484.tif 000002
【実用新案登録請求の範囲】
【請求項１】
電子機器の表示画面あるいは眼鏡等の光学レンズの汚れを拭き取るために携帯して用いる携帯用ワイパーであって、
０．００１〜０．５デニールからなる超極細繊維布と、
前記超極細繊維布の一辺を接着固定すると共に折り畳むことによって該超極細繊維布を保護するカバーと、
から構成されることを特徴とする携帯用ワイパー。
【請求項２】
前記カバーおよび前記超極細繊維布は、前記折り畳んだときに名刺大あるいはカード大の大きさであることを特徴とする請求項１に記載の携帯用ワイパー。
【請求項３】
前記カバーは、長さ方向の一端が折り返されて折り返し部を形成しており、該折り返し部に前記超極細繊維布が挿通されて接着固定されていることを特徴とする請求項１または２に記載の携帯用ワイパー。
【請求項４】
前記カバーは、折り畳んだときに長さ方向の他端が前記折り返し部の隙間に収まることを特徴とする請求項１から３のいずれかに記載の携帯用ワイパー。
【請求項５】
前記超極細繊維布には、昇華性インクを用いた色柄が形成されていることを特徴とする請求項１から４のいずれかに記載の携帯用ワイパー。
【考案の詳細な説明】
【技術分野】
【０００１】  本考案は、携帯用ワイパーに関し、特に、電子機器の表示画面やメガネのレンズの汚れ等を拭き取るために携帯して用いる携帯用ワイパーに関する。
【背景技術】
【０００２】  近年、小型の液晶画面を有する電子機器、例えば、デジタルカメラ、携帯電話、スマートフォン、ｉＰｏｄ（登録商標）のような携帯式のデジタルメディアプレーヤー、ｉＰａｄ（登録商標）のようなタブレット型の情報端末、カーナビゲーション、家庭用の電子機器の表示画面（例えば、テレビのリモコンの表示画面）等は、その操作性の良好さや容易さから、主に指で機器の表示面面に触れその画面上を触れながら所定の動作を行うことで機器の操作を行う、いわゆる、タッチパネル型の表示画面に変わろうとしている。【０００３】  これらのタッチパネル型の表示画面の場合、指で表示画面上を触れながら操作するために、手や指の脂分によって表示画面が脂汚れを惹き起こしてしまう。脂汚れが生じると画面が汚くなるので、画面が見づらくなったり自分だけでなく他人にも不潔感を感じさせたりしてしまう。【０００４】  このような画面上の脂汚れを拭き取ることが可能なものとして、例えば、特許文献１に示されるようなカード式ワイパーが提案されている。このカード式ワイパーは、汚れの拭き取り機能を有する極細繊維により構成される布帛の片面に、印刷が施された合成紙を積層してなるシートにより構成されるものである。【０００５】  このカード式ワイパーによれば、合成紙が積層されることにより、形態保持性と曲げ剛性が付与されるためカードケース等に出し入れしやすく、カード型であることから各種カードと同様にカードケースに入れて容易に携帯でき、外出時において眼鏡や携帯情報端末等の携帯物の汚れを見つけたときでも、即座に取り出して使用できる、としている。また、合成紙には各種の印刷を明瞭に施すことができるので、ワイパーに意匠性や広告効果を奏させることができる、としている。【０００６】  一方、同様なワイピング効果を発揮するものとして、例えば、特許文献２に示されるようなワイピングクロスも提案されている。このワイピングクロスは、適宜の絵柄と色彩を表現したポリエステル・レーヨン・ウール・絹等を素材とする平織地によって形成される装飾素材片と、眼鏡レンズ等の対象面の清拭に使用し得る高密度超極細構造の化学繊維素材によって形成される磨き布片を、その表面を重ね合わせて周側縁を縫合し、２１×２１センチの正方形に裁断し、不使用時には、眼鏡ケース等の専用ケースに収容するようにしたものである。【０００７】  このワイピングクロスによれば、本来のレンズ磨き機能に加え、ファッション性に優れ、且つ、眼鏡を美しく安全に包むことができる服紗感覚の斬新で商品価値の高い製品として提供することができる、としている。
【先行技術文献】
【特許文献】
【０００８】
【特許文献１】  実用新案登録第３１６６９８４号公報
【特許文献２】  実開平０５−８４９２９号公報
【考案の概要】
【考案が解決しようとする課題】
【０００９】  しかしながら、特許文献１のカード式ワイパーによれば、携帯性には優れるものの、合成紙が積層され形態保持性と曲げ剛性が付与されるためシートの片面にのみ超極細繊維が設けられており、他面を指で押さえて拭くようにせざるを得ないため、例えば、メガネの表裏両面の曇りや汚れを一度に拭き取ることが出来ず、拭き取り作業が煩雑になると言う問題がある。更に、超極細繊維はその性質上、擦ることにより静電気が発生しこの静電気で微細な粒子の埃を吸着してしまうため、繊維部分の汚れが外観的にも目立ってしまうという問題もある。【００１０】  また、特許文献２のワイピングクロスによれば、表裏両面の曇りや汚れを一度に拭き取ることは可能であるが、これらの汚れ等を拭き取った後は、専用ケース（例えば、眼鏡ケース等）に収容して保持しなければならないため、かさ張ってしまい持ち運びに不便であるという問題がある。もちろん、専用ケースに収容せずにポケット等にしまって必要なときに取り出し汚れ等を拭き取ることも可能であるが、その場合には、前述と同様の問題、即ち、静電気による微細な粒子の埃の吸着で繊維部分の汚れが外観的にも目立ってしまうという問題が生じてしまう。【００１１】  従って、本考案の目的は、携帯性に優れ、繊維部分の汚れを防ぐことが出来る携帯用ワイパーを提供することにある。
【課題を解決するための手段】
【００１２】  本考案は、以上の目的を達成するため、電子機器の表示画面あるいは眼鏡等の光学レンズの汚れを拭き取るために携帯して用いる携帯用ワイパーであって、０．００１〜０．５デニールからなる超極細繊維布と、前記超極細繊維布の一辺を接着固定すると共に折り畳むことによって該超極細繊維布を保護するカバーと、から構成されることを特徴とする携帯用ワイパーを提供するものである。【００１３】  以上の構成において、前記カバーおよび前記超極細繊維布は、前記折り畳んだときに名刺大あるいはカード大の大きさであることが望ましい。また、前記カバーは、長さ方向の一端が折り返されて折り返し部を形成しており、該折り返し部に前記超極細繊維布が挿通されて接着固定されていることが望ましい。また、前記カバーは、折り畳んだときに長さ方向の他端が前記折り返し部の隙間に収まることが望ましい。更に、前記超極細繊維布には、昇華性インクを用いた色柄が形成されていることが望ましい。
【考案の効果】
【００１４】  本考案は、以上のように構成したので、普段は名刺入れや定期入れあるいはポケットに収納しておき、画面やレンズ等の汚れに気がついたときに、取り出してすぐに拭き取ることができるので、不快な曇りや汚れにすぐに対処することができる。また、超極細繊維布の収納時にはカバーによってワイピング用超極細繊維布が外面を覆われ保護されているので、清掃時以外の外部接触が少なくなり、繊維部分の汚れを防止することができる。
【図面の簡単な説明】
【００１５】
【図１】  本考案の実施形態に係る携帯用ワイパーを示す斜視図であり、（ａ）は展開した状態を示す図、（ｂ）は折り畳んだ状態を示す図である。
【図２】  本実施の形態に係る携帯用ワイパーの折り畳み時の状態を示す断面図である。
【考案を実施するための形態】
【００１６】  以下、添付図面を参照しながら本考案の携帯用ワイパーを詳細に説明する。
【００１７】  図１は、本考案の実施形態に係る携帯用ワイパーを示す斜視図であり、（ａ）は展開した状態を示す図、（ｂ）は折り畳んだ状態を示す図である。
図に示すように、この携帯用ワイパー１は、ワイピング用超極細繊維布１０と、このワイピング用超極細繊維布１０を折り畳んで収容するカバー２０と、から構成されている。
【００１８】  ワイピング用超極細繊維布１０は、繊維の一本一本が例えば０．００１〜０．５デニールと非常に細いものからなる。この繊維の断面形状は円形ではなく例えば三角形である。このように構成されるワイピング用超極細繊維布は、特に力を加えて拭かずとも軽く拭くだけで汚れを確実に吸収し拭き残しも少ない。この超極細繊維を不織布で構成する場合、裁断や打ち抜き加工などを行なっても、寸法の安定性に優れ布目のほつれや繊維屑の埃などが発生し難い。
【００１９】  超極細繊維の布の例としては、カネボウ合繊株式会社製のベルーマＸを原糸として用いた織物ザウイーナミニマックスが挙げられる。さらに、超極細繊維の不織布の例としては、日本バイリーン社製のバイフレッシャー、アポロン並びに同社製の静電除去機能を併せ持つ「電気とーる」などが上げられる。
【００２０】  ワイピング用超極細繊維布１０の厚みは、特に限定されないが、この実施の形態では、例えば、５０μｍから５００μｍ程度の厚みのものを用いる。
【００２１】  また、ワイピング用超極細繊維布１０の形状は、長方形であり、これを２つに折ったときに、名刺大の大きさとなるようにしている。長さは、後述するカバーの長さより幾分短い長さである。
【００２２】  このワイピング用超極細繊維布１０の表面あるいは裏面には、昇華性染料インクを用いた色柄１１が形成されている。
【００２３】  この昇華性染料インクは、水溶性溶媒中に微細な昇華性染料を分散させたインクである。インクは、減色法の３原色（Ｃ（シアン）、Ｍ（マゼンタ）、Ｙ（イエロー）を組み合わせて使用することが好ましく、必要に応じてＫ（ブラック）が併用される。また、Ｙ（イエロー）を一色とし、Ｍ（マゼンタ）およびＣ（シアン）を濃淡二色として使用しても良く、ブラックの色はＣＭＹ３色を混合することで形成されてもよいし、別途、Ｋ（ブラック）１色が用意されても良い。
【００２４】  昇華性染料としては、多くの分散染料、一部の油溶性染料および一部の塩基性染料を使用することができる。本実施形態で用いる染料は、蒸気圧が高く、且つ熱安定性の良いことが求められるため、非イオン性の分散染料が好ましい。具体的にはカラーインデックスＮｏ．による表示で、ＣＩＤｉｓｐｅｒｓｅ  Ｙｅｌｌｏｗ−７、４２、６４、７１、Ｏｒａｎｇｅ−１３、Ｒｅｄ−４、５０、６０、１４６、３６４、Ｖｉｏｌｅｔ−２８、Ｂｌｕｅ−５６などが挙げられる。このほか、アミノアントラキノン系、インドアニリン系、キノフタロン系、ジシアノイミダゾール系、ジシアノメチン系、ジアミノアントラキノン系、ジヒドロキシアントラキノン系、ジアミノジヒドロキシアントラキノン系の染料が有効である。
【００２５】  Ｙ（イエロー）の昇華性染料としては、Ｋａｙａｃｅｔ  Ｙｅｌｌｏｗ  ＡＧ、ＫａｙａｋｕｔＹｅｌｌｏｗ  ＴＤＮ（以上日本化薬（株）製）、ＰＴＹ５２、Ｄｉａｎｉｘ  Ｙｅｌｌｏｗ  ５Ｒ−Ｅ、ＤｉａｎｉｘＹｅｌｌｏｗ  Ｆ３Ｇ−Ｅ、ＤｉａｎｉｘＢｒｉｌｌｉａｎｔ  Ｙｅｌｌｏｗ  ５Ｇ−Ｅ（以上三菱化成（株））、プラストＹｅｌｌｏｗ  ８０４０、ＤＹ１０８（以上有本化学（株）製）、Ｓｕｍｉｋａｒｏｎ  Ｙｅｌｌｏｗ  ＥＦＧ、Ｓｕｍｉｋａｒｏｎ  ＹｅｌｌｏｗＥ−４ＧＬ（以上住友化学（株）製）、ＦＯＲＯＮ  Ｂｒｉｌｌｉａｎｔ  ＹｅｌｌｏｗＳ６ＧＬＰＩ（Ｓａｎｄ社製）等が例示できる。
【００２６】  マゼンタの昇華性染料としては、例えばＫａｙａｃｅｔ  Ｒｅｄ  ０２６、ＫａｙａｃｅｔＲｅｄ  １３０、Ｋａｙａｃｅｔ  Ｒｅｄ  Ｂ（以上日本化薬（株）製）、ＯｉｌＲｅｄ  ＤＲ−９９、ＯｉｌＲｅｄ  ＤＫ−９９（以上有本化学（株）製）、Ｄｉａｃｅｌｌｉｔｏｎ  Ｐｉｎｋ  Ｂ（三菱化成（株）製）、Ｓｒｍｉｋａｒｏｎ  Ｒｅｄ  Ｅ−ＦＢＬ（住友化学（株）製）、ＬａｔｙｌＲｅｄ  Ｂ（Ｄｕ  Ｐｏｎｔ社製）、Ｓｕｄａｎ  Ｒｅｄ７Ｂ（ＢＡＳＦ社製）、Ｒｅｓｏｌｉｎ  Ｒｅｄ  ＦＢ、Ｃｅｒｅｓ  Ｒｅｄ７Ｂ（以上Ｂａｙｅｒ社製）等が例示できる。
【００２７】  シアンの昇華性染料としては、例えば、Ｋａｙａｌｏｎ  Ｆａｓｔ  Ｂｌｕｅ  ＦＧ、ＫａｙａｃｅｔＢｌｕｅ  ＦＲ、Ｋａｙａｃｅｔ  Ｂｌｕｅ  １３６、Ｋａｙａｃｅｔ  Ｂｌｕｅ  ９０６（以上日本化薬（株）製）、Ｏｉｌ  Ｂｌｕｅ  ６３（有本化学（株）製）、ＨＳＢ９（三菱化成（株）製）、ＤｉｓｐｅｒｓｅＢｌｕｅ  ＃１（住友化学（株）製）、ＭＳ  Ｂｌｕｅ  ５０（三井東圧（株）製）、Ｃｅｒｅｓ  Ｂｌｕｅ  ＧＮ（Ｂａｙｅｒ社製）、Ｄｕｒａｎｏｌ  Ｂｒｉｌｌｉａｎｔ  Ｂｌｕｅ  ２Ｇ（ＩＣＩ社製）等が例示できる。
【００２８】  これらの昇華性染料インクを用いてワイピング用超極細繊維布の表面または裏面に色柄を形成するには、例えば、ＰＣ等で白黒画像やカラー画像からなる原画像を画像データとして読み取り、この読み込まれるデジタル画像データを画像処理装置で処理して昇華性染料パターン（ネガパターン）を形成し、これを転写紙に保持させ熱転写を行う。転写紙上に保持された昇華性染料は、熱転写の際に加えられる高温雰囲気下で被転写物（ワイピング用超極細繊維布）に昇華移行して、被転写物を染色し、デジタル画像を被転写物上に描画する。これらのステップを経て、ワイピング用超極細繊維布の表面または裏面に色柄が形成される。これにより、ワイピング用超極細繊維布へのオリジナル染色が可能となる。
【００２９】  カバー２０は、紙もしくはオレフィンなど表裏面に印刷可能な材質からなる。これらの材質は、ある程度の厚さを有することが望ましい。ワイピング用超極細繊維布１０を収納するときにある程度の硬さがある方が収納しやすいためである。大きさとしては、基本的に、このカバー２０を折り畳んだ時に名刺入れや定期入れ等の大きさに略等しい大きさである。これらの名刺入れや定期入れ等に収納にして持ち運べるようにするためである。
【００３０】  カバー２０は、折り曲げる前は長方形状であり、カバー本体２１の長さ方向の一端２２を折り返すことにより折り返し部２３を形成する。この折り返し部２３とカバー本体２１の間に形成される空隙にワイピング用超極細繊維布１０の一辺を挿入し、接着剤等でワイピング用超極細繊維布１０をカバー２０に接着・固定する。また、カバー本体２１の長さ方向の略中央部分には折り曲げ線２４が形成されている。この折り曲げ線２４に沿ってカバー本体２１を折り曲げる。
【００３１】  図２は、本実施の形態に係る携帯用ワイパーの折り畳み時の状態を示す断面図である。図に示すように、折り曲げ線２４に沿ってカバー本体２１を折り畳んだとき、カバー本体２１の長さ方向の他端２５が、折り返し部２３の長さ方向の幅の隙間に収まるように折り畳む。こうすることにより、折り返し部２３とワイピング用超極細繊維布１０との隙間２６に特別な係止手段を設けることなく、当該他端２５を隙間２６に挿入するだけで係止できる。
【００３２】  以下、本考案の実施形態に係る携帯用ワイパーの使い方を説明する。
例えば、眼鏡に用いる場合を例にとると、通常は図１（ｂ）及び図２に示すように折り畳んだ状態で名刺入れや定期入れ等に収容しておき、眼鏡のレンズの汚れを拭き取る際に他端２５を隙間２６から取り出し、図１（ａ）に示すように展開する。そして、マイクロファイバー１０を手に取り、レンズに押し付けて拭うようにする。レンズ両面の拭き取りを行う場合は、ワイピング用超極細繊維布１０でレンズを両面で保持して拭き取りを行う。これにより、レンズに汚れが見つかったときはいつでも手軽に払拭してレンズを綺麗にすることができる。拭き取り後は、通常は図１（ｂ）及び図２に示すように折り畳んだ状態で名刺入れや定期入れ等に収容する。もちろん、これらに収容せずに、この携帯用ワイパー単体で旨のポケット等に保持しておいて使用しても良い。
【００３３】  以上、眼鏡の場合について述べたが、携帯電話、スマートフォン、テレビやカーナビゲータ、パソコン、電卓、時計、カメラなどの画面やレンズにも同様に用いることができ、さらにはＣＤのレコーダや再生装置に貼り付けて、ＣＤの鏡面の汚れ拭き取りにも用いることもできる。
【００３４】  以上述べたように本考案の携帯用ワイパーによると、普段は名刺入れや定期入れあるいはポケットに収納しておき、画面やレンズ等の汚れに気がついたときに、取り出してすぐに拭き取ることができるので、不快な曇りや汚れにすぐに対処することができる。
【００３５】  また、ワイピング用超極細繊維布１０の収納時にはカバー２０によってワイピング用超極細繊維布１０が外面を覆われ保護されているので、清掃時以外の外部接触が少なくなり、繊維部分の汚れを防止することができる。
【００３６】  また、汚れたときには簡単に洗うこともできるので、長期間使用することができて経済的である。
【００３７】  更に、ワイピング用超極細繊維布１０の表面及び／又は裏面に昇華式印刷で企業名や商品名、広告などを印刷しておくこともでき、宣伝頒布用の媒体としての利用法も考えられる。
【００３８】  また更に、カバー２０を紙又はオレフィンで構成するため、通常印刷も可能であり、ここにも、企業名や商品名、広告などを印刷しておくこともでき、宣伝頒布用の媒体として利用可能である。
【００３９】  また、大きさを名刺サイズ、カードサイズにしたので、収納場所を選ばない。
【産業上の利用可能性】
【００４０】  本考案の携帯用ワイパーは、液晶画面を有する電子機器、例えば、デジタルカメラ、携帯電話、スマートフォン、携帯式のデジタルメディアプレーヤー、タブレット型の情報端末、カーナビゲーション、家庭用の電子機器の表示画面、あるいは、眼鏡等の光学レンズなどに便利に用いることができるので、広範な需要が見込め、さらに宣伝頒布用の広告媒体としても使えるので、単に電話機やＩＴ産業の業界だけでなく、産業の広い分野で利用の可能性を有している。
【符号の説明】
【００４１】１０  ワイピング用超極細繊維布      ２３  折り返し部
２１  カバー                        ２４  折り曲げ線
２１  カバー本体                    ２５  他端
２２  一端                          ２６  隙間
【図１】
0003175484.tif 000003
【図２】
0003175484.tif 000004